(57)【要約】【課題】給電線から給電されている電源電圧とは異なる種類の電源電圧を使用するＡＩＳＧデバイスの接続が可能なアンテナモデム及びアンテナ制御システムを提供する。【解決手段】ＢＳモデム１３から入力された電源信号と異なる電圧の電源信号が入力される受電用コネクタ３を備え、該受電用コネクタ３から入力された電源信号を、ＡＩＳＧデバイス１７に出力可能に構成されたものである。【選択図】図１
2013197968.tif 000002
【特許請求の範囲】
【請求項１】
ＡＩＳＧ規格に準拠してアンテナの制御を行うＡＩＳＧデバイスと、
前記ＡＩＳＧデバイスに制御信号と電源信号を送信する制御装置と、
前記アンテナと無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、を備えたアンテナ制御システムに用いられ、
前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムであって、
前記ＢＳモデムから入力された電源信号と異なる電圧の電源信号が入力される受電用コネクタを備え、該受電用コネクタから入力された電源信号を、前記ＡＩＳＧデバイスに出力可能に構成された
ことを特徴とするアンテナモデム。
【請求項２】
前記受電用コネクタは、前記ＢＳモデムから入力された電源信号と同じ電圧の電源信号がさらに入力されるように構成され、
前記受電用コネクタから入力された電源信号と前記ＢＳモデムから入力された電源信号のうち電圧の絶対値が大きい方の電源信号を前記ＡＩＳＧデバイスに出力する電源切替手段を備えた
請求項１記載のアンテナモデム。
【請求項３】
前記電源切替手段は、前記ＢＳモデムから入力された電源信号を伝送する内部配線と、前記受電用コネクタから入力された前記ＢＳモデムから入力された電源信号と同じ電圧の電源信号を伝送する内部配線に設けられたダイオードからなる
請求項２記載のアンテナモデム。
【請求項４】
ＡＩＳＧ規格に準拠してアンテナの制御を行うＡＩＳＧデバイスと、
前記ＡＩＳＧデバイスに制御信号と電源信号を送信する制御装置と、
前記アンテナと無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、
前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、モデム回路にて変調信号を復調して制御信号に戻し、制御信号と電源信号を前記ＡＩＳＧデバイスに、分離後の給電信号を前記アンテナ側の前記給電線に出力するアンテナモデムと、
を備えたアンテナ制御システムにおいて、
前記アンテナモデムは、前記ＢＳモデムから入力された電源信号と異なる電圧の電源信号が入力される受電用コネクタを備え、該受電用コネクタから入力された電源信号を、前記ＡＩＳＧデバイスに出力可能に構成され、
前記アンテナモデムの前記受電用コネクタに接続され、前記アンテナモデムに、前記ＢＳモデムから前記アンテナモデムに入力される電源電圧と異なる電圧の電源信号を供給する給電装置を備えた
ことを特徴とするアンテナ制御システム。
【請求項５】
前記給電装置は、前記アンテナモデムに、前記ＢＳモデムから入力された電源信号と同じ電圧の電源信号をさらに供給するように構成され、
前記アンテナモデムは、前記給電装置から入力された電源信号と前記ＢＳモデムから入力された電源信号のうち電圧の絶対値が大きい方の電源信号を前記ＡＩＳＧデバイスに出力する電源切替手段を備えた
請求項４記載のアンテナ制御システム。
【発明の詳細な説明】
【技術分野】
【０００１】
本発明は、ＡＩＳＧ（Antenna Interface Standards Group）規格のコアキシャルインターフェイス（Coaxial Interface）に準拠して無線基地局のアンテナの制御を行うアンテナ制御システムに用いられるアンテナモデム及びアンテナ制御システムに関するものである。
【背景技術】
【０００２】
移動通信用の無線基地局では、一般に、アンテナのチルト制御を遠隔制御により行えるようになっている。従来、チルト角制御装置は、各アンテナメーカが自社製のアンテナ用に独自の制御方式を採用していたため相互接続することができなかったが、近年のＬＴＥ（Long Term Evolution）無線基地局などでは、アンテナの制御をＡＩＳＧ規格で行うことが多くなっている。ＡＩＳＧ規格は、アンテナのチルト角制御方式等についての相互接続性を確保するために標準化された規格である（例えば、特許文献１参照）。
【０００３】
ＡＩＳＧ規格では、無線基地局において、アンテナ及びアンテナのチルト角などの制御を行うＲＥＴ（Remote Electrical Tilt）ユニットなどのＡＩＳＧデバイスと、アンテナに給電を行う無線機及びＡＩＳＧデバイスの制御を行う制御装置（ＡＩＳＧ制御装置）と、を接続する方式として、コアキシャルインターフェイス（またはモデムオプション）と呼ばれる方式がある。
【０００４】
コアキシャルインターフェイスでは、無線機からアンテナに給電する信号である給電信号（ＲＦ信号）が給電線（ＲＦ給電線）から出力され、ＡＩＳＧ制御装置からは、ＡＩＳＧデバイスを制御するための制御信号及び電源信号が出力される。
【０００５】
図４に示すように、コアキシャルインターフェイスに準拠したアンテナ制御システム４１では、アンテナ１０と無線機１１とを接続する給電線１２の途中に、ＢＳモデム１３とアンテナモデム１４と呼ばれる２つのモデムを設け、これらＢＳモデム１３とアンテナモデム１４を使用して、給電線１２を経由してＡＩＳＧデバイス１７用の制御信号や電源信号を伝送する。
【０００６】
ＢＳモデム１３は、無線機１１の近傍（例えば鉄塔の下部）に設けられ、制御ケーブル１５を介して制御装置（ＡＩＳＧ制御装置）１６が接続される。アンテナモデム１４は、アンテナ１０の近傍（例えば鉄塔の上部）に設けられ、制御ケーブル１５を介してＡＩＳＧデバイス１７が接続される。
【０００７】
図５に示すように、ＢＳモデム１３では、制御装置１６から入力ＡＩＳＧコネクタ２１を介して入力された制御信号（ＲＳ４８５Ａ，ＲＳ４８５Ｂ）を、モデム回路２２にて変調して変調信号（ＡＩＳＧコアキシャルインターフェイス変調信号、搬送波周波数２．１７６ＭＨｚのオン−オフ−キーイング信号）を生成し、その変調信号と制御装置１６から入力された電源信号とを合成回路２３で合成し、その合成した信号（ＡＩＳＧコアキシャルインターフェイス信号、以下単にＡＩＳＧ信号という）をバイアスＴ回路（Bias Tee）２４に出力する。バイアスＴ回路２４は、直流遮断用のキャパシタ（容量素子）と交流遮断用のインダクタ（誘導素子）とを組み合わせて構成され、合成回路２３から入力されたＡＩＳＧ信号を、無線機１１から入力側ＲＦコネクタ２５を介して入力された給電信号に重畳して、出力側ＲＦコネクタ２６からアンテナ１０側の給電線１２に出力する。
【０００８】
図６に示すように、従来のアンテナモデム１４では、ＢＳモデム１３から入力側ＲＦコネクタ３１を介して入力された給電信号（ＡＩＳＧ信号を重畳した給電信号）をバイアスＴ回路３２に入力し、バイアスＴ回路３２にて、給電信号からＡＩＳＧ信号を分離する。分離後の給電信号は、出力側ＲＦコネクタ３３から、アンテナ１０側の給電線１２に出力される。バイアスＴ回路３２で分離されたＡＩＳＧ信号は、分離回路３４にてさらに変調信号と電源信号とに分離され、分離された変調信号はモデム回路３５で復調されて制御信号に戻され、その復調された制御信号と、分離回路３４で分離された電源信号とが、ＡＩＳＧ信号として出力ＡＩＳＧコネクタ３６を介してＡＩＳＧデバイス１７に出力される。
【０００９】
ＢＳモデム１３のモデム回路２２と、アンテナモデム１４のモデム回路３５としては、同じ構成のものを用いるのが一般的である。図７に示す構成例のように、モデム回路２２，３５は、ＲＳ４８５インターフェイス１１１に入力された制御信号（ＲＳ４８５規格信号）を、変調回路１１２で変調して変調信号を生成し、生成した変調信号を方向性結合器１１３から外部に出力するように構成されると共に、方向性結合器１１３に入力された変調信号を、復調回路１１４で復調して制御信号に戻し、ＲＳ４８５インターフェイス１１１から外部に出力するように構成されている。モデム回路２２，３５の電源回路１１５は、制御装置１６から供給される電源を利用し、入力される電源電圧をモデム回路２２，３５用の電圧に変換して、ＲＳ４８５インターフェイス１１１、変調回路１１２、復調回路１１４に出力するように構成されている。
【００１０】
なお、図４における符号１２ａは給電線１２の両端に設けられたＲＦコネクタ、符号１１ａは無線機１１に設けられたＲＦコネクタ、符号１０ａはアンテナ１０に設けられたＲＦコネクタを表している。また、符号１５ａ，１５ｂは制御ケーブル１５の両端に設けられたオスコネクタ，メスコネクタ、符号１６ａは制御装置１６に設けられた出力コネクタ、符号１７ａはＡＩＳＧデバイス１７に設けられた入力コネクタを表している。ＲＦコネクタ１０ａ，１１ａ，１２ａは一般的な同軸ケーブル用のコネクタであり、コネクタ１５ａ，１５ｂ，１６ａ，１７ａは、ＡＩＳＧ規格に準拠した一般的なコネクタ（ＡＩＳＧコネクタ）である。
【先行技術文献】
【特許文献】
【００１１】
【特許文献１】特表２０１０−５１９８０４号公報
【発明の概要】
【発明が解決しようとする課題】
【００１２】
ところで、表１に示すように、ＡＩＳＧ規格では、＋１２Ｖ（１番）、−４８Ｖ（２番）、１０〜３０Ｖ（６番）の３種類の電源が用意されている。なお、表１は、ＡＩＳＧ規格にて規定されているコネクタの端子の番号（Pin Number）、各端子で伝搬する信号（Signal）、必須接続（Mandatory）であるか任意接続（Optional）であるかという要求（Requirement）を示したものであり、８番のＮＣは無接続（No Connection）を意味している。
【００１３】
【表１】
2013197968.tif 000003
【００１４】
このように、ＡＩＳＧ規格では３種類の電源電圧が用意されているが、上述の従来のコアキシャルインターフェイスに準拠したアンテナ制御システム４１では、同軸ケーブルからなる給電線１２を介して電源信号を伝送しており、同軸ケーブルは中心導体と外部導体の２つの導体しか備えていないので、１種類の電源（例えば、必須接続である１０〜３０Ｖ電源）しか伝送することができない。そのため、アンテナモデム１４以降では、給電線１２から給電される電源電圧とは異なる電圧を使用するＡＩＳＧデバイス１７を使用することができないという問題がある。
【００１５】
１０〜３０Ｖ電源は必須接続となっているため、現在では、１０〜３０Ｖ電源を使用するようにアンテナモデム１４を構成しておけば、上述の問題はほぼ回避できる。しかし、古いアンテナ制御システムでは＋１２Ｖ電源のみを使用するものもあり、また、電圧の絶対値を大きくすれば小電流でも大電力を供給でき、制御ケーブル１５等での電圧降下を抑制して電力効率を向上できることから、将来的には、−４８Ｖ電源を使用するアンテナ制御システムが増えると考えられる。よって、アンテナ制御システムの柔軟性や拡張性を高めるためにも、給電線１２から給電されている電源電圧とは異なる種類の電源電圧を使用するＡＩＳＧデバイス１７の接続が可能なアンテナモデム１４が望まれる。
【００１６】
本発明は、上記事情に鑑み為されたものであり、給電線から給電されている電源電圧とは異なる種類の電源電圧を使用するＡＩＳＧデバイスの接続が可能なアンテナモデム及びアンテナ制御システムを提供することを目的とする。
【課題を解決するための手段】
【００１７】
本発明は上記目的を達成するために創案されたものであり、ＡＩＳＧ規格に準拠してアンテナの制御を行うＡＩＳＧデバイスと、前記ＡＩＳＧデバイスに制御信号と電源信号を送信する制御装置と、前記アンテナと無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、を備えたアンテナ制御システムに用いられ、前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムであって、前記ＢＳモデムから入力された電源信号と異なる電圧の電源信号が入力される受電用コネクタを備え、該受電用コネクタから入力された電源信号を、前記ＡＩＳＧデバイスに出力可能に構成されたアンテナモデムである。
【００１８】
前記受電用コネクタは、前記ＢＳモデムから入力された電源信号と同じ電圧の電源信号がさらに入力されるように構成され、前記受電用コネクタから入力された電源信号と前記ＢＳモデムから入力された電源信号のうち電圧の絶対値が大きい方の電源信号を前記ＡＩＳＧデバイスに出力する電源切替手段を備えてもよい。
【００１９】
前記電源切替手段は、前記ＢＳモデムから入力された電源信号を伝送する内部配線と、前記受電用コネクタから入力された前記ＢＳモデムから入力された電源信号と同じ電圧の電源信号を伝送する内部配線に設けられたダイオードからなってもよい。
【００２０】
また、本発明は、ＡＩＳＧ規格に準拠してアンテナの制御を行うＡＩＳＧデバイスと、前記ＡＩＳＧデバイスに制御信号と電源信号を送信する制御装置と、前記アンテナと無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、モデム回路にて変調信号を復調して制御信号に戻し、制御信号と電源信号を前記ＡＩＳＧデバイスに、分離後の給電信号を前記アンテナ側の前記給電線に出力するアンテナモデムと、を備えたアンテナ制御システムにおいて、前記アンテナモデムは、前記ＢＳモデムから入力された電源信号と異なる電圧の電源信号が入力される受電用コネクタを備え、該受電用コネクタから入力された電源信号を、前記ＡＩＳＧデバイスに出力可能に構成され、前記アンテナモデムの前記受電用コネクタに接続され、前記アンテナモデムに、前記ＢＳモデムから前記アンテナモデムに入力される電源電圧と異なる電圧の電源信号を供給する給電装置を備えたアンテナ制御システムである。
【００２１】
前記給電装置は、前記アンテナモデムに、前記ＢＳモデムから入力された電源信号と同じ電圧の電源信号をさらに供給するように構成され、前記アンテナモデムは、前記給電装置から入力された電源信号と前記ＢＳモデムから入力された電源信号のうち電圧の絶対値が大きい方の電源信号を前記ＡＩＳＧデバイスに出力する電源切替手段を備えてもよい。
【発明の効果】
【００２２】
本発明によれば、給電線から給電されている電源電圧とは異なる種類の電源電圧を使用するＡＩＳＧデバイスの接続が可能になる。
【図面の簡単な説明】
【００２３】
【図１】（ａ）は、本発明の一実施の形態に係るアンテナモデムを用いたアンテナ制御システムの概略構成図であり、（ｂ）はアンテナモデムの概略構成図である。
【図２】図１（ｂ）のアンテナモデムの一変形例を示す概略構成図である。
【図３】（ａ），（ｂ）は、本発明の他の実施の形態に係るアンテナモデムの概略構成図である。
【図４】従来のアンテナ制御システムの概略構成図である。
【図５】図４の従来のアンテナ制御システムに用いるＢＳモデムの概略構成図である。
【図６】図４の従来のアンテナ制御システムに用いる従来のアンテナモデムの概略構成図である。
【図７】図５のＢＳモデム、図６のアンテナモデムに用いるモデム回路の概略構成図である。
【発明を実施するための形態】
【００２４】
以下、本発明の実施の形態を添付図面にしたがって説明する。
【００２５】
図１（ａ）は、本実施の形態に係るアンテナモデムを用いたアンテナ制御システムの概略構成図であり、図１（ｂ）はアンテナモデムの概略構成図である。
【００２６】
図１（ａ）に示すように、アンテナ制御システム１は、ＡＩＳＧ規格に準拠してアンテナ１０の制御を行うＡＩＳＧデバイス１７と、ＡＩＳＧデバイス１７に制御信号を送信し、ＡＩＳＧデバイス１７を制御してアンテナ１０の制御を行うと共に、ＡＩＳＧデバイス１７にＡＩＳＧ規格にて規定される一の電圧の電源信号を送信する制御装置１６と、アンテナ１０とアンテナ１０に給電を行う無線機１１とを接続する給電線１２の途中に設けられたＢＳモデム１３と、ＢＳモデム１３よりもアンテナ１０側の給電線１２の途中に設けられた本発明のアンテナモデム２と、を備えている。
【００２７】
ＢＳモデム１３は、制御装置１６から入力ＡＩＳＧコネクタ（オスコネクタ）２１を介して入力された制御信号を変調して変調信号を生成し、その変調信号と制御装置１６から入力された電源信号とを合成した信号（ＡＩＳＧ信号）を、無線機１１から入力側ＲＦコネクタ２５を介して入力された給電信号に重畳して、出力側ＲＦコネクタ２６から、アンテナ１０側の給電線１２に出力するものである。ＢＳモデム１３は、従来より用いられている一般的なＢＳモデムであり、図５で説明したものと同じものである。入力ＡＩＳＧコネクタ２１は、ＡＩＳＧ規格に準拠した一般的なコネクタ（ＡＩＳＧコネクタ）であり、ＲＦコネクタ２５，２６は、一般的な同軸ケーブル用のコネクタである。
【００２８】
アンテナモデム２は、ＢＳモデム１３から入力側ＲＦコネクタ３１を介して入力された給電信号からＡＩＳＧ信号を分離すると共に、ＡＩＳＧ信号を変調信号と電源信号とに分離し、変調信号を復調して制御信号に戻し、制御信号と電源信号を出力ＡＩＳＧコネクタ３６からＡＩＳＧデバイス１７に、分離後の給電信号を出力側ＲＦコネクタ３３からアンテナ１０側の給電線１２に出力するものである。アンテナモデム２の詳細については後述する。出力ＡＩＳＧコネクタ３６は、ＡＩＳＧ規格に準拠した一般的なコネクタ（ＡＩＳＧコネクタ）であり、ＲＦコネクタ３１，３３は、一般的な同軸ケーブル用のコネクタである。
【００２９】
ＢＳモデム１３は、無線機１１の近傍（例えば鉄塔の下部）に設けられ、制御ケーブル１５を介して制御装置１６が接続される。アンテナモデム２は、アンテナ１０の近傍（例えば鉄塔の上部）に設けられ、制御ケーブル１５を介してＡＩＳＧデバイス１７が接続される。
【００３０】
制御ケーブル１５は、制御信号を伝送する制御信号線と電源信号を伝送する電源線とを備えており、その両端には、オスコネクタ１５ａとメスコネクタ１５ｂがそれぞれ設けられている。また、制御装置１６には出力コネクタ（メスコネクタ）１６ａが、ＡＩＳＧデバイス１７には入力コネクタ（オスコネクタ）１７ａが設けられている。これらコネクタ１５ａ，１５ｂ，１６ａ，１７ａは、ＡＩＳＧ規格に準拠した一般的なコネクタ（ＡＩＳＧコネクタ）である。なお、図示していないが、ＡＩＳＧデバイス１７には、出力コネクタ（メスコネクタ）が設けられており、複数台のＡＩＳＧデバイス１７をデイジーチェーン接続できるようになっている。
【００３１】
制御ケーブル１５のオスコネクタ１５ａを制御装置１６の出力コネクタ１６ａに接続し、その制御ケーブル１５のメスコネクタ１５ｂをＢＳモデム１３の入力ＡＩＳＧコネクタ２１に接続することで、制御装置１６とＢＳモデム１３とが制御ケーブル１５を介して接続される。また、制御ケーブル１５のオスコネクタ１５ａをアンテナモデム２の出力ＡＩＳＧコネクタ３６に接続し、その制御ケーブル１５のメスコネクタ１５ｂをＡＩＳＧデバイス１７の入力コネクタ１７ａに接続することで、アンテナモデム２とＡＩＳＧデバイス１７とが制御ケーブル１５を介して接続される。
【００３２】
給電線１２は、一般的な同軸ケーブル等を用いることができ、その両端にはＲＦコネクタ１２ａがそれぞれ設けられている。また、アンテナ１０にはＲＦコネクタ１０ａが、無線機１１にはＲＦコネクタ１１ａが設けられている。
【００３３】
給電線１２の一方のＲＦコネクタ１２ａを無線機１１のＲＦコネクタ１１ａに、他方のＲＦコネクタ１２ａをＢＳモデム１３の入力側ＲＦコネクタ２５に接続することで、無線機１１とＢＳモデム１３とが給電線１２を介して接続される。また、給電線１２の一方のコネクタ１２ａをアンテナ１０のＲＦコネクタ１０ａに、他方のＲＦコネクタ１２ａをアンテナモデム２の出力側ＲＦコネクタ３３に接続することで、アンテナモデム２とアンテナ１０とが給電線１２を介して接続される。
【００３４】
さらにまた、給電線１２の一方のＲＦコネクタ１２ａをＢＳモデム１３の出力側ＲＦコネクタ２６に、他方のＲＦコネクタ１２ａをアンテナモデム２の入力側ＲＦコネクタ３１に接続することで、ＢＳモデム１３とアンテナモデム２とが給電線１２を介して接続される。
【００３５】
次に、アンテナモデム２について説明する。なお、ここではＢＳモデム１３から入力される電源信号の電圧が１０〜３０Ｖである場合を説明する。
【００３６】
図１（ｂ）に示すように、アンテナモデム２は、ＢＳモデム１３から入力側ＲＦコネクタ３１を介して入力された給電信号から変調信号と電源信号とを分離する（つまり給電信号からＡＩＳＧ信号を分離する）と共に、分離後の給電信号を、出力側ＲＦコネクタ３３からアンテナ１０側の給電線１２に出力するバイアスＴ回路３２と、バイアスＴ回路３２で分離された変調信号と電源信号を、さらに個別に分離する（つまりＡＩＳＧ信号を変調信号と電源信号とに分離する）分離回路３４と、分離回路３４にて分離した変調信号を復調して制御信号に戻し、その制御信号を出力ＡＩＳＧコネクタ３６からＡＩＳＧデバイス１７に出力するモデム回路３５と、を備えている。
【００３７】
分離回路３４の変調信号の出力は、内部配線によりモデム回路３５の変調信号の入出力部（方向性結合器）と電気的に接続され、モデム回路３５の制御信号の入出力部（ＲＳ４８５インターフェイス）は、内部配線により出力ＡＩＳＧコネクタ３６の３，５番（ＲＳ４８５Ａ，ＲＳ４８５Ｂ）の端子に電気的に接続され、復調した制御信号を出力ＡＩＳＧコネクタ３６から出力するように構成される。
【００３８】
分離回路３４の電源信号の出力は、内部配線により出力ＡＩＳＧコネクタ３６の６番の端子と電気的に接続されると共に、モデム回路３５に電気的に接続され、モデム回路３５に電源供給するように構成されている。
【００３９】
さて、本実施の形態に係るアンテナモデム２では、ＢＳモデム１３から入力された電源信号と異なる電圧の電源信号が入力される受電用コネクタ３を備え、該受電用コネクタ３から入力された電源信号を、ＡＩＳＧデバイスに出力可能に構成されている。本実施の形態では、ＡＩＳＧ規格にて規定されている電源電圧のうち、ＢＳモデム１３から入力される１０〜３０Ｖの電圧以外の２種類の電圧、すなわち＋１２Ｖと−４８Ｖの電圧が受電用コネクタ３に入力される場合を考える。
【００４０】
受電用コネクタ３の＋１２Ｖの電源信号が入力される端子は、内部配線により出力ＡＩＳＧコネクタ３６の１番の端子と電気的に接続される。受電用コネクタ３の−４８Ｖの電源信号が入力される端子は、内部配線により出力ＡＩＳＧコネクタ３６の２番の端子と電気的に接続される。受電用コネクタ３のＤＣリターン用の端子は、ＤＣリターンライン（出力ＡＩＳＧコネクタ３６の７番の端子）に電気的に接続される。
【００４１】
受電用コネクタ３には、給電用ケーブル５を介して給電装置４が接続される。給電装置４は、アンテナモデム２の受電用コネクタ３に接続され、アンテナモデム２に、ＢＳモデム１３からアンテナモデム２に入力される電源電圧と異なる電圧（ここでは、＋１２Ｖと−４８Ｖ）の電源信号を供給するものである。給電装置４はどこに設置してもよいが、アンテナモデム２の近傍に設置することが望ましい。給電装置４には、商用電源あるいは別の直流電源など他の給電装置から給電が行われる。
【００４２】
給電用ケーブル５としては、給電装置４が供給する電源の数と等しい電源用の電線と、ＤＣリターン用の電線を備えたものを用いればよい。ここでは、２本の電源用の電線と１本のＤＣリターン用の電線の合計３本の電線を備えたものを用いればよい。
【００４３】
なお、ここでは、給電装置４から、ＢＳモデム１３から入力される電源信号の電圧以外の２種類の電圧の電源信号を供給する場合を説明したが、給電装置４から供給する電源信号は１種類であってもよい。例えば、給電装置４から−４８Ｖの電圧の電源信号のみを供給する場合、図２に示すように、＋１２Ｖの電源信号を伝送するための内部配線は省略可能である。なお、給電装置４から供給する電源信号を１種類とする場合、ＡＩＳＧ規格上、ＢＳモデム１３から入力される電源信号の電圧と、給電装置４から供給する電源信号の電圧のいずれか一方を、必須接続である１０〜３０Ｖとする必要がある。
【００４４】
本実施の形態の作用を説明する。
【００４５】
本実施の形態に係るアンテナモデム２では、ＢＳモデム１３から入力された電源信号と異なる電圧の電源信号が入力される受電用コネクタ３を備え、該受電用コネクタ３から入力された電源信号を、ＡＩＳＧデバイス１７に出力可能に構成されている。
【００４６】
このように構成することで、受電用コネクタ３に、ＢＳモデム１３から入力された電源信号と異なる電圧の電源信号を供給する給電装置４を接続すれば、アンテナモデム２以降に、ＢＳモデム１３から入力された電源信号と異なる電圧の電源信号を給電することが可能になる。すなわち、アンテナモデム２によれば、給電線１２から給電されている電源電圧とは異なる種類の電源電圧を使用するＡＩＳＧデバイス１７を接続して使用することが可能となり、システムの柔軟性や拡張性を高めることができる。
【００４７】
本発明の他の実施の形態を説明する。
【００４８】
図３（ａ）に示すアンテナモデム５１は、図１のアンテナモデム２において、受電用コネクタ３を、ＢＳモデム１３から入力された電源信号と同じ電圧（ここでは１０〜３０Ｖ）の電源信号がさらに入力されるように構成し、さらに、受電用コネクタ３から入力された電源信号とＢＳモデム１３から入力された電源信号のうち電圧の絶対値が大きい方の電源信号を出力ＡＩＳＧコネクタ３６を介してＡＩＳＧデバイス１７に出力する電源切替手段５２を備えたものである。
【００４９】
受電用コネクタ３の１０〜３０Ｖの電源信号が入力される端子は、内部配線により、分離回路３４の電源信号の出力と出力ＡＩＳＧコネクタ３６の６番の端子を接続する内部配線に電気的に接続されている。以下、この接続点を接続点Ｐという。
【００５０】
アンテナモデム５１を用いる場合、給電装置４としては、ＢＳモデム１３から入力された電源信号と異なる電圧の電源信号に加えて、ＢＳモデム１３から入力された電源信号と同じ電圧の電源信号をさらに供給するように構成されたものを用いることになる。
【００５１】
本実施の形態では、電源切替手段５２は、ＢＳモデム１３から入力された電源信号を伝送する内部配線と、受電用コネクタ３から入力されたＢＳモデム１３から入力された電源信号と同じ電圧の電源信号を伝送する内部配線に設けられた２つのダイオード５３ａ，５３ｂからなる。ダイオード５３ａは、接続点Ｐよりも分離回路３４側の内部配線に設けられ、ダイオード５３ｂは、接続点Ｐよりも受電用コネクタ３側の内部配線に設けられる。また、両ダイオード５３ａ，５３ｂは、カソードが出力ＡＩＳＧコネクタ３６側となるように設けられる。
【００５２】
ＢＳモデム１３から入力された電源信号の電圧の絶対値が、受電用コネクタ３から入力された電源信号の電圧の絶対値より大きい場合、ダイオード５３ａが順バイアス、ダイオード５３ｂが逆バイアスされるので、ＢＳモデム１３から入力された電源信号が出力ＡＩＳＧコネクタ３６から出力されることになる。
【００５３】
ＢＳモデム１３から入力された電源信号の電圧の絶対値が、受電用コネクタ３から入力された電源信号の電圧の絶対値より小さい場合、ダイオード５３ａが逆バイアス、ダイオード５３ｂが順バイアスされるので、受電用コネクタ３から入力された電源信号が出力ＡＩＳＧコネクタ３６から出力されることになる。
【００５４】
なお、ＢＳモデム１３から入力される電源信号が負電圧（つまり−４８Ｖ）である場合には、図３（ｂ）に示すように、両ダイオード５３ａ，５３ｂの向きを反対にし、アノードが出力ＡＩＳＧコネクタ３６側となるように両ダイオード５３ａ，５３ｂを設ければよい。
【００５５】
このように構成することで、例えばなんらかの理由でＢＳモデム１３から入力される電源信号が減衰してしまった場合などに、電源供給先を給電装置４に切り替えて、後段のＡＩＳＧデバイス１７に電源供給することが可能となる。つまり、アンテナモデム５１によれば、ＢＳモデム１３から入力される電源信号の減衰等によりＡＩＳＧデバイス１７に十分な電力が供給されない、といった不具合を防止することが可能になる。
【００５６】
なお、両ダイオード５３ａ，５３ｂは、電流の逆流を防止する電流逆流防止素子としての役割も果たしており、例えば、受電用コネクタ３に給電装置４が接続されず開放となっているときに、受電用コネクタ３に金属等が触れてショートしてしまったり、人体の接触による感電が発生してしまうこと等を防止できる。
【００５７】
本発明は上記実施の形態に限定されるものではなく、本発明の趣旨を逸脱しない範囲で種々の変更を加え得ることは勿論である。
【００５８】
例えば、上記実施の形態では、電源切替手段５２を２つのダイオード５３ａ，５３ｂにより実現する場合を説明したが、これに限らず、例えば、ＢＳモデム１３から入力される電源信号の電圧と受電用コネクタ３から入力された電源信号の電圧を比較する比較回路と、該比較回路での比較結果に基づき、ＢＳモデム１３から入力される電源信号を出力ＡＩＳＧコネクタ３６から出力するか、あるいは、受電用コネクタ３から入力された電源信号を出力ＡＩＳＧコネクタ３６から出力するかを切り替えるスイッチと、を用いて実現することも可能である。
【符号の説明】
【００５９】
１  アンテナ制御システム
２  アンテナモデム
３  受電用コネクタ
４  給電装置
５  給電用ケーブル
１０  アンテナ
１１  無線機
１２  給電線
１３  ＢＳモデム
１５  制御ケーブル
１６  制御装置
１７  ＡＩＳＧデバイス
【図１】
2013197968.tif 000004
【図２】
2013197968.tif 000005
【図３】
2013197968.tif 000006
【図４】
2013197968.tif 000007
【図５】
2013197968.tif 000008
【図６】
2013197968.tif 000009
【図７】
2013197968.tif 000010